(57)【要約】【課題】紙文書の原本性を効率的に確認することができるようにする【解決手段】入力した電子文書１０５の内容をＯＣＲ技術により読み取り、読み取ったＯＣＲ結果に対するハッシュ値を原本性確認情報としてサーバ１０２上に保存するとともに、その保存場所を示すＵＲＬを、電子透かしを用いて電子文書１０５に埋め込むようにすることにより、印刷物１０４と印刷物１０４を電子化した電子文書１０５との間の整合性を、電子署名を用いなくても確認することができるようにして、印刷物１０４の原本性を、ネットワーク１０１を用いて効率的に確認することができるようにする。【選択図】      図１
2004185312.tif 000002
【特許請求の範囲】
【請求項１】
文書画像を入力する文書画像入力手段と、
上記文書画像入力手段により入力された文書画像から文書識別情報を抽出する文書識別情報抽出手段と、
上記文書識別情報抽出手段により抽出された文書識別情報に対して所定の変換処理を行って原本性確認情報を生成する原本性確認情報生成手段と、
上記原本性確認情報生成手段により生成された原本性確認情報をネットワークに接続された所定の保管場所に保存する原本性確認情報保存手段と、
上記保存場所を示す情報を上記文書画像に埋め込む保存場所情報埋め込み手段とを有することを特徴とする文書管理装置。
【発明の詳細な説明】
【０００１】
【発明の属する技術分野】
本発明は、文書管理装置に関し、特に、紙文書の原本性を確認するために用いて好適なものである。
【０００２】
【従来の技術】
電子政府の実現のために、従来紙ベースで動いていた文書や情報に対する処理を電子化するための種々の技術開発は重要な課題である。このように、電子政府においては、紙情報を電子情報に置き換えようとしているが、従来の紙情報を全て廃止するのではなく、上記電子情報を扱うための機器を有さない高齢者などに対しては、従来の紙ベースの処理を継続する必要がある。したがって、紙情報と電子情報との整合性をとり、その原本性を確認する技術が求められる。
【０００３】
このような要求に対して、例えば特願２００１−２６６４３５号の明細書に記載されている技術が提案されている。
かかる技術では、まず、埋め込み側で、紙文書の内容をＯＣＲ技術により読み取り、そのハッシュ値に対する電子署名を電子透かしとして文書中に埋め込み、印刷する。そのとき、検証用の鍵は公開する。
【０００４】
次に検証側では、紙文書の内容をＯＣＲ技術により読み取り、そのハッシュ値（第１のハッシュ値）を生成する。さらに、上記電子透かしとして文書中に埋め込まれた電子署名を抽出し、上記公開されている検証用の鍵を用いて上記抽出した電子署名を復号してハッシュ値（第２のハッシュ値）を得る。
【０００５】
その後、上記第１のハッシュ値と上記第２のハッシュ値とを比較し、これらが一致すれば、その紙文書は改ざんされていないと判断する。一方、これらが一致しなければ、その紙文書は改ざん文書であると判断し、上記紙文書の原本性を認めない。
そして、このような技術では、埋め込み側と検証側における各処理をオフラインで実行できるというメリットがある。
【０００６】
【発明が解決しようとする課題】
しかしながら、上述した従来の技術を用いて、埋め込み側と検証側におけるの各処理を完全にオフラインで実行するためには、上記公開された検証用の鍵を、確認したいユーザが常に知っている（管理している）必要がある。すなわち、上述した従来の技術では、紙文書の原本性を確認することができるユーザが特定されてしまうという問題点があった。
【０００７】
また、電子政府においては、ネットワークによる情報処理が可能であり、上記の手法はその利点を使っていないとも言える。すなわち、上述した従来の技術では、ネットワークを有効に利用することが困難であるという問題点があった。
【０００８】
さらに、上述した電子署名の生成処理や検証処理は、比較的重い処理であるために、多くの紙文書に対する原本性を調べる場合などには、計算量が莫大なものになってしまうという問題点があった。
【０００９】
本発明は上述の問題点に鑑みてなされたものであり、紙文書の原本性を効率的に確認することができるようにすることを目的とする。
【００１０】
【課題を解決するための手段】
本発明の文書管理装置は、文書画像を入力する文書画像入力手段と、上記文書画像入力手段により入力された文書画像から文書識別情報を抽出する文書識別情報抽出手段と、上記文書識別情報抽出手段により抽出された文書識別情報に対して所定の変換処理を行って原本性確認情報を生成する原本性確認情報生成手段と、上記原本性確認情報生成手段により生成された原本性確認情報をネットワークに接続された所定の保管場所に保存する原本性確認情報保存手段と、上記保存場所を示す情報を上記文書画像に埋め込む保存場所情報埋め込み手段とを有することを特徴とする。
かかる構成では、上記所定の保管場所に保存した原本性確認情報と、文書画像から生成した原本性確認情報とを用いて上記文書画像の原本性を確認することが可能になる。
【００１１】
【発明の実施の形態】
（第１の実施の形態）
次に、図面を参照しながら、本発明の文書管理装置の第１の実施の形態について説明する。
図１は、本実施の形態の文書管理装置を適用した文書管理システムの構成の一例を示した図である。
【００１２】
図１に示すように、ユーザの所有する端末１０３が印刷物１０４をもち、ネットワーク１０１上のサーバ１０２に登録された印刷物１０４の原本である電子文書１０５との整合を確認する、すなわち、印刷物１０４の原本性を確認する場合を考える。尚、以下の説明では、ユーザの所有する端末１０３を単にユーザ１０３と称する。
【００１３】
また、図３は、本実施形態の形態の文書管理装置に相当するサーバ１０２及びユーザ１０３を実現する情報処理装置の電気的構成の一例を示したブロック図である。尚、本実施の形態を実現に当たっては、図３に示される全ての機能を使用することは必須ではない。
【００１４】
図３において、コンピュータ３０１は、一般に普及しているパーソナルコンピュータであり、スキャナ等の画像入力装置３１７から読み取られた画像を入力し、編集や保管を行うことが可能である。
【００１５】
また、画像入力装置３１７で得られた画像をプリンタ３１６から印刷させることができる。尚、ユーザからの各種指示等は、マウス３１３やキーボード３１４からの入力操作により行われる。
【００１６】
コンピュータ３０１の内部では、バス３０７により後述する各ブロックが接続され、種々のデータの受け渡しが可能である。図３において、ＭＰＵ３０２は、コンピュータ３０１内部の各ブロックの動作を制御し、あるいは内部に記憶されたプログラムを実行することができる。
【００１７】
主記憶装置３０３は、ＭＰＵ３０２において行われる処理のために、一時的にプログラムや処理対象の画像データを格納しておく装置である。ハードディスク（ＨＤＤ）３０４は、主記憶装置３０３等に転送されるプログラムや画像データをあらかじめ格納したり、処理後の画像データを保存したりすることのできる装置である。
【００１８】
スキャナインタフェース（Ｉ／Ｆ）３１５は、原稿やフィルム等を読み取って、画像データを生成するスキャナ３１７と接続され、スキャナ３１７で得られた画像データを入力することのできるインタフェース（Ｉ／Ｆ）である。
【００１９】
プリンタインタフェース３０８は、画像データを印刷するプリンタ３１６と接続され、印刷する画像データをプリンタ３１６に送信することのできるインタフェース（Ｉ／Ｆ）である。
【００２０】
ＣＤドライブ３０９は、外部記憶媒体の一つであるＣＤ（ＣＤ−Ｒ／ＣＤ−ＲＷ）に記憶されたデータを読み込んだり、あるいは書き出したりすることができる装置である。
【００２１】
ＦＤＤドライブ３１１は、ＣＤドライブ３０９と同様に、ＦＤＤ（フレキシブルディスク）からの読み込みや、ＦＤＤへの書き出しをすることができる装置である。
【００２２】
ＤＶＤドライブ３１０は、ＦＤＤドライブ３１１と同様に、ＤＶＤからの読み込みや、ＤＶＤへの書き出しをすることができる装置である。尚、ＣＤ、ＦＤＤ、ＤＶＤ等に画像編集用のプログラム、あるいはプリンタドライバが記憶されている場合には、これらプログラムをＨＤＤ３０４上にインストールし、必要に応じて主記憶装置３０３に転送されるようになっている。
【００２３】
インタフェース（Ｉ／Ｆ）３１２は、マウス３１３やキーボード３１４からの入力指示を受け付けるために、これらと接続されるインタフェース（Ｉ／Ｆ）である。
【００２４】
また、モニタ３０６は、透かし情報の抽出処理結果や処理過程を表示することのできる表示装置である。さらに、ビデオコントローラ３０５は、表示データをモニタ３０６に送信するための装置である。
【００２５】
尚、本実施の形態では、情報処理装置３０１に上述した機能を全て搭載するようにしたが、上述した機能を分配して複数の装置からなるシステムとしてもよい。すなわち、複数の機器（例えば、ホストコンピュータ、インタフェース機器、リーダ、プリンタ等）から構成されるシステムにしても、一つの機器からなる装置（例えば、複写機、ファクシミリ装置等）にしてもよい。
【００２６】
図２は、サーバ１０２における埋め込み処理を説明するフローチャートでである。
まず、ハードディスク３０４、ＣＤドライブ３０９、ＤＶＤドライブ３１０、またはＦＤＤドライブ３１１などに接続された各記憶媒体や、スキャナなどの画像入力装置３１７から入力された電子文書１０５の内容をＯＣＲ技術により読み取り、その読み取った結果に対するハッシュ値を生成する（ステップＳ２０１）。このハッシュ値が原本性確認情報となる。
【００２７】
尚、このステップＳ２０１において、電子文書１０５内の所定の領域を読み取るように指示し、上記指示した領域内の画像に対して文字認識を行うことで文字列を抽出し、上記抽出した文字列に対するハッシュ値を生成するようにするのが好ましい。
【００２８】
そして、その電子文書１０５の原本性確認情報をサーバ１０２上に保存する（ステップＳ２０２）。
【００２９】
次に、サーバ１０２は、その原本性確認情報の保存場所を示すＵＲＬ（ＵｎｉｖｅｒｓａｌＲｅｓｏｕｒｃｅ  Ｌｏｃａｔｏｒ）などを、電子透かしを用いて電子文書（電子データ）１０５に埋め込む（ステップＳ２０３）。ここで、電子文書１０５の所在を示すデータはＵＲＬ（Ｕｎｉｖｅｒｓａｌ  Ｒｅｓｏｕｒｃｅ  Ｌｏｃａｔｏｒ）だけでなく種々のＵＲＩ（Ｕｎｉｖｅｒｓａｌ  Ｒｅｓｏｕｒｃｅ  Ｉｄｅｎｔｉｆｉｅｒ）であることができる。
【００３０】
次に、その電子文書１０５を、プリンタ３１６を用いて印刷し、印刷物１０４をユーザ１０３に配布する（ステップＳ２０４）。ここで、ステップＳ２０１のＯＣＲ処理やハッシュ値生成処理、並びにステップＳ２０２の電子透かし埋め込みなどの処理は、マウス３１３やキーボード３１４からの入力指示により主記憶装置３０３にロードしたプログラムを、ＭＰＵ３０２などを用いて実行することにより行われる。このとき、モニタ３０６により実行状況や、その結果をモニタすることも可能である。
【００３１】
図４は、検証側の処理を説明するフローチャートである。
印刷物１０４の検証を希望するユーザ１０３は、印刷物１０４をスキャナ等の画像入力装置３１７から入力する（ステップＳ２１１）。
【００３２】
そして、その入力画像から電子透かしとして埋め込まれたＵＲＬ（Ｕｎｉｖｅｒｓａｌ  Ｒｅｓｏｕｒｃｅ  Ｌｏｃａｔｏｒ）などの原本性確認情報の保存場所に関する情報を抽出する（ステップＳ２１２）。
【００３３】
次に、そのＵＲＬ（Ｕｎｉｖｅｒｓａｌ  Ｒｅｓｏｕｒｃｅ  Ｌｏｃａｔｏｒ）へアクセスして原本性確認情報である第１のハッシュ値を得る（ステップＳ２１３）。
次に、ユーザ１０３は、印刷物１０４の内容をＯＣＲ技術により読み取り、第２のハッシュ値を生成する（ステップＳ２１４）。
【００３４】
尚、このステップＳ２１４において、印刷物１０４の所定の領域を読み取るように指示し、上記指示した領域内の画像に対して文字認識を行うことで文字列を抽出し、上記抽出した文字列に対するハッシュ値を生成するようにするのが好ましい。
【００３５】
そして、上記第１のハッシュ値と、上記第２のハッシュ値とを比較して（ステップＳ２１５）、一致していれば印刷物１０４は原本と同じであると判断し（ステップＳ２１６）、一致しなければ原本と異なると判断する（ステップＳ２１７）。
【００３６】
ここで、ステップＳ２１１の電子透かし抽出処理、ステップＳ２１２、Ｓ２１３のＯＣＲ処理やハッシュ値生成処理、並びにステップＳ２１４の比較判定処理などは、マウス３１３やキーボード３１４からの入力指示により主記憶装置３０３にロードしたプログラムを、ＭＰＵ３０２などを用いて実行することにより行われる。このとき、モニタ３０６により実行状況や、その結果をモニタすることも可能である。
【００３７】
以上のように本実施の形態では、入力した電子文書１０５の内容をＯＣＲ技術により読み取り、読み取ったＯＣＲ結果に対する第１のハッシュ値を原本性確認情報としてサーバ１０２に保存し、その保存場所を示すＵＲＬを、電子透かしを用いて電子文書１０５に埋め込むようにする埋め込み処理と、入力した印刷物１０４から原本性確認情報の保存場所を示すＵＲＬを抽出してその保存場所にアクセスして第１のハッシュ値を取得するとともに、印刷物１０４の内容をＯＣＲ技術により読み取って第２のハッシュ値を生成し、上記第１のハッシュ値と、上記第２のハッシュ値とを比較して印刷物１０４の原本性を判断する検証処理とを行うようにしたので、原本性確認情報としてハッシュ値のみを用い、電子署名を用いないようにすることができる。したがって、印刷物１０４と電子文書１０５との整合性を判断するための処理を簡便化することができ、ユーザは鍵情報を管理するなどの手間をかけることなく印刷物１０４の原本性を判断することができる。これにより、印刷物１０４の原本性を、ネットワーク１０１を用いて効率的に判断することができる。
【００３８】
また、サーバ１０２がよく管理されていれば、上記原本性確認情報は信頼できる。したがって、このような場合にはＳＳＬなどによりサーバ認証を行えようにすれば、印刷物１０４の出所も確認することができる。また、サーバ１０２側も電子文書１０５のハッシュ値のみをユーザにアクセスさせるようにすることができ、これにより、電子文書１０５自体の不正利用を防止することができる。
【００３９】
尚、本実施の形態では、ハッシュ値を原本性確認情報として用いたが、サーバ１０２または原本管理元の秘密鍵を用いて、そのハッシュ値に対する電子署名を生成し、それを原本性確認情報としてもよい。
【００４０】
その場合、電子署名を検証する鍵はサーバ１０２が保持し、その鍵を用いて電子署名を検証するようにすればよい。上述したように、本実施の形態では、原本性確認情報を取得する為にサーバ１０２へのアクセスを必ず行うので、そのときに鍵を得ることは容易である。このようにすれば、計算量は少し増えるが、サーバ１０２は、原本性確認情報の管理を簡単に行うことができる。
【００４１】
また、電子文書１０５または電子文書１０５のＯＣＲ結果を公開することができる場合には、原本性確認情報としてハッシュ値を用いずに、電子文書１０５のＯＣＲ結果と印刷物１０４のＯＣＲ結果とを直接比較するようにしてもよい。このようにすれば、原本性確認情報のメモリ量は大きくなるが、ハッシュ値の計算量を大幅に削減することができる。
【００４２】
（第２の実施の形態）
次に、本発明の第２の実施の形態について説明する。尚、本実施の形態の文書管理システム及び文書管理装置の構成は、それぞれ図１及び図３と同様であるので上述した第１の実施の形態と同一部分については同一符号を付して説明を行う。
【００４３】
上述した第１の実施の形態では、印刷物１０４と電子文書１０５との整合性をユーザ１０３が調べるようにしたが、本実施の形態では、サーバ１０２が各ユーザ１０３、６０５から印刷物１０４を集めて、一括して検証処理を行うようにする。
【００４４】
この場合、原本性確認情報を電子透かしとして電子文書１０５に埋め込む必要がないため、埋め込み側の処理では、上述したステップＳ２０３の処理を省略することができる。その他の埋め込み側の処理は、図２に示したフローチャートと同様である。
【００４５】
図５は、検証側の処理を説明するフローチャートである。
まず、サーバ１０２は、印刷物１０４の内容をＯＣＲ技術により読み取る（ステップＳ４０１）。そして、そのＯＣＲ結果に対する第２のハッシュ値を生成する（ステップＳ４０２）。
【００４６】
尚、このステップＳ４０１、Ｓ４０２において、印刷物１０４の所定の領域を読み取るように指示し、上記指示した領域内の画像に対して文字認識を行うことで文字列を抽出し、上記抽出した文字列に対するハッシュ値を生成するようにするのが好ましい。
【００４７】
次に、印刷物１０４に対応する電子文書１０５のＯＣＲ結果に対する第１のハッシュ値を計算する（ステップＳ４０３）。上記第１のハッシュ値と第２のハッシュ値とを比較（ステップＳ４０４）して、一致していれば印刷物１０４は原本と同じであるとし（ステップＳ４０５）、一致しなければ原本と異なると判断する（ステップＳ４０６）。
【００４８】
このとき、ステップＳ４０２において、今までの電子文書１０５に対するハッシュ値をあらかじめ計算してデータベース化しておけば、図５に示した原本性確認処理（検証側の処理）をより高速に行うことが可能となる。
【００４９】
このように、本実施の形態では、サーバ１０２が各ユーザ１０３、６０５から印刷物１０４を集めて、一括して検証処理を行うようにしたので、電子透かしのない今までの印刷物１０４に対しても、印刷物１０４の原本性を確認することができる。
【００５０】
尚、本実施の形態においても、電子文書１０５または電子文書１０５のＯＣＲ結果を公開することができる場合には、原本性確認情報としてハッシュ値を用いずに、電子文書１０５のＯＣＲ結果と印刷物１０４のＯＣＲ結果とを直接比較するようにしてもよい。また、電子署名を用いることにより、サーバの管理の負担を軽減することもできる。
【００５１】
（本発明の他の実施の形態）
本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。
【００５２】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５３】
さらに、記録媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
本発明を上記記録媒体に適用する場合、その記録媒体には、先に説明したフローチャートに対応するプログラムコードが格納されることになる。
【００５４】
本発明の実施態様の例を以下に列挙する。
（実施態様１）  文書画像を入力する文書画像入力手段と、上記文書画像入力手段により入力された文書画像から文書識別情報を抽出する文書識別情報抽出手段と、上記文書識別情報抽出手段により抽出された文書識別情報に対して所定の変換処理を行って原本性確認情報を生成する原本性確認情報生成手段と、上記原本性確認情報生成手段により生成された原本性確認情報をネットワークに接続された所定の保管場所に保存する原本性確認情報保存手段と、上記保存場所を示す情報を上記文書画像に埋め込む保存場所情報埋め込み手段とを有することを特徴とする文書管理装置。
【００５５】
（実施態様２）  上記保存場所情報埋め込み手段は、電子透かしを埋め込むことを特徴とする実施態様１に記載の文書管理装置。
【００５６】
（実施態様３）  文書画像を入力する文書画像入力手段と、上記文書画像入力手段により入力された文書画像から文書識別情報を抽出する文書識別情報抽出手段と、上記文書識別情報抽出手段により抽出された文書識別情報に対して所定の変換処理を行って原本性確認情報を生成する原本性確認情報生成手段と、上記文書画像入力手段により入力された文書画像中に埋め込まれた電子透かしを抽出する情報抽出手段と、上記情報抽出手段により電子透かしとして抽出された情報に基づいて、ネットワーク上のポイントにアクセスするアクセス手段と、上記アクセス手段によりアクセスされたポイントに保存されている原本性確認情報と、上記原本性確認情報生成手段により生成された原本性確認情報とを比較する原本性確認情報比較手段とを有することを特徴とする文書管理装置。
【００５７】
（実施態様４）  文書画像を入力する文書画像入力手段と、上記文書画像入力手段により入力された文書画像から文書識別情報を抽出する文書識別情報抽出手段と、上記文書識別情報抽出手段により抽出された文書識別情報に対して所定の変換処理を行って原本性確認情報を生成する原本性確認情報生成手段と、上記原本性確認情報生成手段により生成された原本性確認情報と、あらかじめ保存された原本性確認情報とを比較する原本性確認情報比較手段とを有することを特徴とする文書管理装置。
【００５８】
（実施態様５）  上記原本性確認情報生成手段は、上記文書識別情報抽出手段により抽出された文書識別情報に対してハッシュ変換を行って原本性確認情報を生成することを特徴とする実施態様１〜４の何れか１態様に記載の文書管理装置。
【００５９】
（実施態様６）  上記原本性確認情報生成手段は、上記文書識別情報抽出手段により抽出された文書識別情報に対してハッシュ変換を行い、さらに上記ハッシュ変換により得られたハッシュ値に対する電子署名を生成して原本性確認情報を生成することを特徴とする実施態様１〜４の何れか１態様に記載の文書管理装置。
【００６０】
（実施態様７）  文書画像を入力する文書画像入力手段と、上記文書画像入力手段により入力された文書画像から文書識別情報を抽出する文書識別情報抽出手段と、上記文書識別情報抽出手段により抽出された文書識別情報と、あらかじめ保存された文書識別情報とを比較する文書識別情報比較手段とを有することを特徴とする文書管理装置。
【００６１】
（実施態様８）  上記文書識別情報抽出手段は、上記文書画像中の文書識別情報領域を指示する領域指示手段を有し、上記領域指示手段により指示された領域内の画像に対して文字認識を行うことで得た文字列を上記文書識別情報として抽出することを特徴とする実施態様１〜７の何れか１態様に記載の文書管理装置。
【００６２】
（実施態様９）  文書画像を入力する文書画像入力処理と、上記文書画像入力処理により入力された文書画像から文書識別情報を抽出する文書識別情報抽出処理と、上記文書識別情報抽出処理により抽出された文書識別情報に対して所定の変換処理を行って原本性確認情報を生成する原本性確認情報生成処理と、上記原本性確認情報生成処理により生成された原本性確認情報をネットワークに接続された所定の保管場所に保存する原本性確認情報保存処理と、上記保存場所を示す情報を上記文書画像に埋め込む保存場所情報埋め込み処理とを行うことを特徴とする文書管理方法。
【００６３】
（実施態様１０）  上記保存場所情報埋め込み処理は、電子透かしを埋め込むことを特徴とする実施態様９に記載の文書管理方法。
【００６４】
（実施態様１１）  文書画像を入力する文書画像入力処理と、上記文書画像入力処理により入力された文書画像から文書識別情報を抽出する文書識別情報抽出処理と、上記文書識別情報抽出処理により抽出された文書識別情報に対して所定の変換処理を行って原本性確認情報を生成する原本性確認情報生成処理と、上記文書画像入力処理により入力された文書画像中に埋め込まれた電子透かしを抽出する情報抽出処理と、上記情報抽出処理により電子透かしとして抽出された情報に基づいて、ネットワーク上のポイントにアクセスするアクセス処理と、上記アクセス処理によりアクセスされたポイントに保存されている原本性確認情報と、上記原本性確認情報生成処理により生成された原本性確認情報とを比較する原本性確認情報比較処理とを行うことを特徴とする文書管理方法。
【００６５】
（実施態様１２）  文書画像を入力する文書画像入力処理と、上記文書画像入力処理により入力された文書画像から文書識別情報を抽出する文書識別情報抽出処理と、上記文書識別情報抽出処理により抽出された文書識別情報に対して所定の変換処理を行って原本性確認情報を生成する原本性確認情報生成処理と、上記原本性確認情報生成処理により生成された原本性確認情報と、あらかじめ保存された原本性確認情報とを比較する原本性確認情報比較処理とを行うことを特徴とする文書管理方法。
【００６６】
（実施態様１３）  上記原本性確認情報生成処理は、上記文書識別情報抽出処理により抽出された文書識別情報に対してハッシュ変換を行って原本性確認情報を生成することを特徴とする実施態様９〜１２の何れか１態様に記載の文書管理方法。
【００６７】
（実施態様１４）  上記原本性確認情報生成処理は、上記文書識別情報抽出処理により抽出された文書識別情報に対してハッシュ変換を行い、さらに上記ハッシュ変換により得られたハッシュ値に対する電子署名を生成して原本性確認情報を生成することを特徴とする実施態様９〜１２の何れか１態様に記載の文書管理方法。
【００６８】
（実施態様１５）  文書画像を入力する文書画像入力処理と、上記文書画像入力処理により入力された文書画像から文書識別情報を抽出する文書識別情報抽出処理と、上記文書識別情報抽出処理により抽出された文書識別情報と、あらかじめ保存された文書識別情報とを比較する文書識別情報比較処理とを行うことを特徴とする文書管理方法。
【００６９】
（実施態様１６）  上記文書識別情報抽出処理は、上記文書画像中の文書識別情報領域を指示する領域指示処理を行い、上記領域指示処理により指示された領域内の画像に対して文字認識を行うことで得た文字列を上記文書識別情報として抽出することを特徴とする実施態様９〜１５の何れか１態様に記載の文書管理方法。
【００７０】
（実施態様１７）  文書画像を入力する文書画像入力処理と、上記文書画像入力処理により入力された文書画像から文書識別情報を抽出する文書識別情報抽出処理と、上記文書識別情報抽出処理により抽出された文書識別情報に対して所定の変換処理を行って原本性確認情報を生成する原本性確認情報生成処理と、上記原本性確認情報生成処理により生成された原本性確認情報をネットワークに接続された所定の保管場所に保存する原本性確認情報保存処理と、上記保存場所を示す情報を上記文書画像に埋め込む保存場所情報埋め込み処理とをコンピュータに実行することを特徴とするコンピュータプログラム。
【００７１】
（実施態様１８）  文書画像を入力する文書画像入力処理と、上記文書画像入力処理により入力された文書画像から文書識別情報を抽出する文書識別情報抽出処理と、上記文書識別情報抽出処理により抽出された文書識別情報に対して所定の変換処理を行って原本性確認情報を生成する原本性確認情報生成処理と、上記文書画像入力処理により入力された文書画像中に埋め込まれた電子透かしを抽出する情報抽出処理と、上記情報抽出処理により電子透かしとして抽出された情報に基づいて、ネットワーク上のポイントにアクセスするアクセス処理と、上記アクセス処理によりアクセスされたポイントに保存されている原本性確認情報と、上記原本性確認情報生成処理により生成された原本性確認情報とを比較する原本性確認情報比較処理とをコンピュータに実行することを特徴とするコンピュータプログラム。
【００７２】
（実施態様１９）  文書画像を入力する文書画像入力処理と、上記文書画像入力処理により入力された文書画像から文書識別情報を抽出する文書識別情報抽出処理と、上記文書識別情報抽出処理により抽出された文書識別情報に対して所定の変換処理を行って原本性確認情報を生成する原本性確認情報生成処理と、上記原本性確認情報生成処理により生成された原本性確認情報と、あらかじめ保存された原本性確認情報とを比較する原本性確認情報比較処理とをコンピュータに実行することを特徴とするコンピュータプログラム。
【００７３】
（実施態様２０）  文書画像を入力する文書画像入力処理と、上記文書画像入力処理により入力された文書画像から文書識別情報を抽出する文書識別情報抽出処理と、上記文書識別情報抽出処理により抽出された文書識別情報と、あらかじめ保存された文書識別情報とを比較する文書識別情報比較処理とをコンピュータに実行することを特徴とするコンピュータプログラム。
【００７４】
（実施態様２１）  上記実施形態１７〜２０の何れか１態様に記載のコンピュータプログラムを記録したことを特徴とするコンピュータ読み取り可能な記録媒体。
【００７５】
【発明の効果】
以上説明したように本発明によれば、入力した文書画像から抽出した文書識別情報に対して所定の変換処理を行って原本性確認情報を生成し、上記生成した原本性確認情報をネットワークに接続された所定の保管場所に保存するとともに、上記保存場所を示す情報を上記文書画像に埋め込むようにしたので、上記所定の保管場所に保存した原本性確認情報と、文書画像から生成した原本性確認情報とを用いて上記文書画像の原本性を確認することが可能になる。これにより、紙文書と上記紙文書を電子化した文書画像との間の整合性を、電子署名を用いなくても確認することができる。したがって、紙文書の原本性を効率的に確認することができる。
【図面の簡単な説明】
【図１】本発明の実施の形態を示し、文書管理システムの構成の一例を示した図である。
【図２】本発明の第１の実施の形態を示し、埋め込み側の処理を説明するフローチャートである。
【図３】本発明の実施の形態を示し、情報処理装置の電気的構成の一例を示したブロック図である。
【図４】本発明の第１の実施の形態を示し、検証側の処理を説明するフローチャートである。
【図５】本発明の第２の実施の形態を示し、検証側の処理を説明するフローチャートである。
【符号の説明】
１０１  ネットワーク
１０２  サーバ
１０３、６０５  ユーザ
１０４  印刷物
１０５  電子文書（電子データ）
【図１】
2004185312.tif 000003
【図２】
2004185312.tif 000004
【図３】
2004185312.tif 000005
【図４】
2004185312.tif 000006
【図５】
2004185312.tif 000007